(57)【要約】モード設定部（１０１）は、防犯モードを設定する。生成部（１０２）は、電力消費システムが備える少なくとも１つの電気機器のそれぞれに対する制御内容を含み、電力消費システムの消費電力の予測値が所定の閾値以下となる制御パターンを生成する。制御部（１０３）は、モード設定部（１０１）により防犯モードが設定されている間、生成部（１０２）により生成された制御パターンに基づいて、少なくとも１つの電気機器のそれぞれを制御する。
2016017015.tif 000002
【特許請求の範囲】
【請求項１】
防犯モードを設定するモード設定部と、
電力消費システムが備える少なくとも１つの電気機器のそれぞれに対する制御内容を含み、前記電力消費システムの消費電力の予測値が所定の閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、を備える、
電気機器制御装置。
【請求項２】
防犯のレベルを示す情報を取得するレベル取得部と、
前記レベル取得部により取得された防犯のレベルを示す情報に基づいて、前記閾値を設定する閾値設定部と、をさらに備える、
請求項１に記載の電気機器制御装置。
【請求項３】
前記生成部は、前記消費電力の予測値が前記閾値を超える制御パターンに含まれる制御を除外又は低出力化する処理を、前記消費電力の予測値が前記閾値以下となるまで繰り返すことにより、前記消費電力の予測値が前記閾値以下となる制御パターンを生成する、
請求項１又は２に記載の電気機器制御装置。
【請求項４】
前記除外又は低出力化される制御は、除外又は低出力化されたときに、防犯効果の予測値の減少量に対する、前記消費電力の予測値の減少量の割合が最高となる制御である、
請求項３に記載の電気機器制御装置。
【請求項５】
前記少なくとも１つの電気機器のそれぞれが配置される位置を示す情報を記憶する位置記憶部をさらに備え、
前記生成部は、前記位置記憶部に記憶された位置を示す情報に基づいて、前記消費電力の予測値が前記閾値以下となる制御パターンを生成する、
請求項１から４までのいずれか１項に記載の電気機器制御装置。
【請求項６】
前記少なくとも１つの電気機器のそれぞれの稼働履歴を記憶する稼働履歴記憶部をさらに備え、
前記生成部は、前記稼働履歴記憶部に記憶された稼働履歴に基づいて、前記消費電力の予測値が前記閾値以下となる制御パターンを生成する、
請求項１から５までのいずれか１項に記載の電気機器制御装置。
【請求項７】
留守中であるか否かを判別する判別部をさらに備え、
前記モード設定部は、前記判別部により留守中であると判別されたことに応答して、防犯モードを設定する、
請求項１から６までのいずれか１項に記載の電気機器制御装置。
【請求項８】
前記電力消費システムの消費電力を示す情報を取得する消費電力取得部と、
前記消費電力取得部により取得された情報により示される消費電力の履歴を記憶する電力履歴記憶部と、をさらに備え、
前記判別部は、前記電力履歴記憶部に記憶された消費電力の履歴に基づいて、留守中であるか否かを判別する、
請求項７に記載の電気機器制御装置。
【請求項９】
前記判別部は、前記電力消費システムの消費電力の時間変動の周波数成分に基づいて、留守中であるか否かを判別する、
請求項８に記載の電気機器制御装置。
【請求項１０】
ユーザの外出予定を示す情報を記憶する予定記憶部をさらに備え、
前記判別部は、前記予定記憶部に記憶された外出予定を示す情報に基づいて、留守中であるか否かを判別する、
請求項７から９までのいずれか１項に記載の電気機器制御装置。
【請求項１１】
防犯モードを設定するモード設定部と、
電力消費システムが備える少なくとも１つの電気機器のそれぞれに対する制御内容を含み、前記電力消費システムの消費電力の予測値が所定の閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、を備える、
電気機器制御システム。
【請求項１２】
電力消費システムが備える少なくとも１つの電気機器のそれぞれに対する制御内容を含み、前記電力消費システムの消費電力の予測値が所定の閾値以下となる制御パターンを生成する生成ステップと、
防犯モードが設定されている間、前記生成ステップで生成された制御パターンに基づいて、前記少なくとも１つの電気機器のそれぞれを制御す制御ステップと、を備える、
電気機器制御方法。
【請求項１３】
コンピュータを、
防犯モードを設定するモード設定部、
電力消費システムが備える少なくとも１つの電気機器のそれぞれに対する制御内容を含み、前記電力消費システムの消費電力の予測値が所定の閾値以下となる制御パターンを生成する生成部、
前記モード設定部により防犯モードが設定されている間、前記生成部により生成された制御パターンに基づいて、前記少なくとも１つの電気機器のそれぞれを制御する制御部、として機能させる、
プログラム。
【発明の詳細な説明】
【技術分野】
【０００１】
本発明は、電気機器を制御する電気機器制御装置、電気機器制御システム、電気機器制御方法、及び、プログラムに関する。
【背景技術】
【０００２】
現在、防犯のため、留守中に、電気機器が自動で動作するように電気機器を制御する技術が知られている。例えば、特許文献１には、モード設定手段と、記録手段と、制御パターン生成手段と、制御手段と、を備える機器制御システムが開示されている。このモード設定手段は、在宅モードと留守モードとを切替可能に設定する。また、この記録手段は、在宅モードが設定された場合に各宅内機器の制御状況を記録する。そして、この制御パターン生成手段は、記録手段の記録結果に基づいて各宅内機器の制御パターンを生成する。また、この制御手段は、留守モードが設定された場合に制御パターン生成手段が生成した制御パターンで各宅内機器の動作を制御する。【０００３】
特許文献１に開示された制御パターン生成手段は、在宅モード中における各宅内機器の制御状況に基づいて、留守モード中における各宅内機器の制御内容を示す制御パターンを生成する。つまり、特許文献１に開示された機器制御システムは、在宅を装うような制御パターンを生成する。
【先行技術文献】
【特許文献】
【０００４】
【特許文献１】特開２００７−２６５０５０号公報
【発明の概要】
【発明が解決しようとする課題】
【０００５】
しかしながら、特許文献１に開示された機器制御システムでは、消費電力が考慮されずに制御パターンが生成される。このため、特許文献１に開示された機器制御システムでは、防犯のために多くの電力が消費されていた。このため、なるべく少ない消費電力で防犯する技術が望まれている。【０００６】
本発明は、上記問題に鑑みてなされたものであり、なるべく少ない消費電力で防犯する電気機器制御装置、電気機器制御システム、電気機器制御方法、及び、プログラムを提供することを目的とする。
【課題を解決するための手段】
【０００７】
上記目的を達成するために、本発明に係る電気機器制御装置は、
防犯モードを設定するモード設定部と、
電力消費システムが備える少なくとも１つの電気機器のそれぞれに対する制御内容を含み、前記電力消費システムの消費電力の予測値が所定の閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、を備える。
【発明の効果】
【０００８】
本発明では、防犯モードが設定されている間、電力消費システムが備える少なくとも１つの電気機器のそれぞれが、電力消費システムの消費電力の予測値が所定の閾値以下となる制御パターンに基づいて制御される。従って、本発明によれば、なるべく少ない消費電力で防犯することができる。
【図面の簡単な説明】
【０００９】
【図１】本発明の実施形態１に係る電気機器制御システムの構成図である。
【図２】本発明の実施形態１に係る電気機器制御装置の構成図である。
【図３】本発明の実施形態１に係る電気機器制御装置の機能を説明するための図である。
【図４】照明装置の防犯効果の予測値を示す図である。
【図５】テレビの防犯効果の予測値を示す図である。
【図６】空調機器の防犯効果の予測値を示す図である。
【図７】補正前の制御パターンを示す図である。
【図８】制御パターンの補正により消費電力の予測値が減少する様子を示す図である。
【図９】４回目の補正後の制御パターンを示す図である。
【図１０】本発明の実施形態１に係る電気機器制御装置が実行する電気機器制御処理を示すフローチャートである。
【図１１】図１０に示す動作モード切替処理を示すフローチャートである。
【図１２】電力消費システムの消費電力が変動する様子を示す図である。
【図１３】図１１に示す制御パターン生成処理を示すフローチャートである。
【図１４】本発明の実施形態２に係る電気機器制御装置の機能を説明するための図である。
【発明を実施するための形態】
【００１０】
以下、本発明の実施形態を、図面を参照して説明する。
【００１１】
（実施形態１）
まず、本発明の実施形態１に係る電気機器制御システム１０００について説明する。電気機器制御システム１０００は、電気機器制御装置１００が電気機器を制御するシステムである。ここで、電気機器制御装置１００は、防犯のため、ユーザが留守の間、ユーザの在宅を装うように、電気機器を自動で制御する。従って、電気機器制御システム１０００は、防犯システムと考えることもできるし、留守番システムと考えることもできる。なお、本実施形態における防犯とは、典型的には、泥棒が宅内に侵入して家財を盗難することを防止することである。
【００１２】
図１に示すように、電気機器制御システム１０００は、電気機器制御装置１００と、照明装置２０１と、テレビ２０２と、空調機器２０３と、センサ３００と、電力計測装置４００と、タブレット端末５００と、商用電源６００と、宅内ネットワーク７１０と、宅外ネットワーク７２０と、モバイル機器８００と、クラウドサーバ９００と、を備える。
【００１３】
電気機器制御装置１００は、電力消費システムが備える電気機器を、制御したり監視したりするホームコントローラである。電力消費システムが備える電気機器は、それぞれ、宅内ネットワーク７１０に接続される。本実施形態では、電力消費システムは、照明装置２０１と、テレビ２０２と、空調機器２０３と、を備える。電力消費システムが備える電気機器は、宅内に配置された電気機器であってもよいし、宅外に配置された電気機器であってもよい。電気機器制御装置１００は、電力消費システムが備える電気機器、センサ３００、電力計測装置４００、タブレット端末５００、モバイル機器８００、クラウドサーバ９００などと通信する。以下、図２を参照して、電気機器制御装置１００の構成について説明する。
【００１４】
図２に示すように、電気機器制御装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、宅内インターフェース１７、宅外インターフェース１８を備える。電気機器制御装置１００が備える各構成要素は、バスを介して相互に接続される。
【００１５】
ＣＰＵ１１は、電気機器制御装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、電気機器制御装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００１６】
フラッシュメモリ１４は、各種の情報を記憶する不揮発性メモリである。ＲＴＣ１５は、計時用のデバイスである。ＲＴＣ１５は、例えば、電池を内蔵し、電気機器制御装置１００の電源がオフの間も計時を継続する。ＲＴＣ１５は、例えば、水晶発振子を備える発振回路を備える。
【００１７】
タッチスクリーン１６は、ユーザによりなされたタッチ操作を検知し、検知の結果を示す信号をＣＰＵ１１に供給する。また、タッチスクリーン１６は、ＣＰＵ１１などから供給された画像信号に基づく画像を表示する。このように、タッチスクリーン１６は、電気機器制御装置１００のユーザインターフェースとして機能する。
【００１８】
宅内インターフェース１７は、電気機器制御装置１００を、宅内ネットワーク７１０に接続するためのインターフェースである。電気機器制御装置１００は、宅内ネットワーク７１０を介して、電力消費システムが備える電気機器、センサ３００、電力計測装置４００、タブレット端末５００などと通信する。宅内インターフェース１７は、ＮＩＣ（Network Interface Card）などのＬＡＮ（Local Area Network）インターフェースを備える。
【００１９】
宅外インターフェース１８は、電気機器制御装置１００を、宅外ネットワーク７２０に接続するためのインターフェースである。電気機器制御装置１００は、宅外ネットワーク７２０を介して、モバイル機器８００、クラウドサーバ９００などと通信する。宅外インターフェース１８は、ＮＩＣなどのＬＡＮインターフェースを備える。
【００２０】
照明装置２０１は、照明する電気機器である。テレビ２０２は、受信した電波に応じた映像及び音声を出力する電気機器である。空調機器２０３は、宅内の空気を調和する電気機器である。空調機器２０３は、宅内に配置される室内機と宅外に配置される室外機とを備える。これらの電気機器は、いずれも、商用電源６００から供給された電力を動力源として動作する。また、これらの電気機器は、いずれも、宅内インターフェース１７と同様の構成を備え、宅内ネットワーク７１０に接続する機能を有する。さらに、これらの電気機器は、いずれも、電気機器制御装置１００により制御され、電気機器制御装置１００により監視される。
【００２１】
センサ３００は、ユーザが在宅中であるのか留守中であるのかの判別の際に参照される物理量を検出するセンサである。センサ３００は、例えば、水道水の流量を検出する流量センサ、人の存在を検出する人感センサ、付近の明るさを検出する照度センサである。センサ３００は、宅内インターフェース１７と同様の構成を備え、宅内ネットワーク７１０に接続する機能を有する。さらに、センサ３００は、電気機器制御装置１００により制御され、電気機器制御装置１００により監視される。
【００２２】
電力計測装置４００は、電力消費システムにより消費される電力を計測する。なお、電力消費システムにより消費される電力は、照明装置２０１により消費される電力と、テレビ２０２により消費される電力と、空調機器２０３により消費される電力とを合計した電力である。例えば、電力計測装置４００は、照明装置２０１とテレビ２０２と空調機器２０３とに電力を供給する主幹系統に組み込まれた主幹ブレーカ部分において、電力消費システムにより消費される電力を計測する。電力計測装置４００は、宅内インターフェース１７と同様の構成を備え、宅内ネットワーク７１０に接続する機能を有する。さらに、電力計測装置４００は、電気機器制御装置１００により制御され、電気機器制御装置１００により監視される。
【００２３】
タブレット端末５００は、情報処理機能や通信機能などを有する端末装置である。タブレット端末５００は、制御部５０１と、宅内インターフェース５０２と、タッチスクリーン５０３と、を備える。制御部５０１は、ＣＰＵ、ＲＯＭ、ＲＡＭなどを備え、タブレット端末５００の全体の動作を制御する。宅内インターフェース５０２は、制御部５０１による制御に従って、タブレット端末５００を宅内ネットワーク７１０に接続する。タッチスクリーン５０３は、ユーザによりなされたタッチ操作を検知したり、制御部５０１から供給された画像信号に基づく画像を表示したりする。このように、タッチスクリーン５０３は、タブレット端末５００のユーザインターフェースとして機能する。
【００２４】
タブレット端末５００は、宅内ネットワーク７１０を介して電気機器制御装置１００と接続され、電気機器制御装置１００のユーザインターフェースとして機能する。つまり、ユーザは、タブレット端末５００を介して、電気機器制御装置１００を操作したり、電気機器制御装置１００が有する情報を参照したりすることができる。例えば、タブレット端末５００は、電気機器制御装置１００が制御する電気機器の状態を示す画面をユーザに提示し、また、このような電気機器に対する操作をユーザから受け付ける。また、例えば、タブレット端末５００は、外出予定を示す情報をユーザから受け付ける。また、例えば、タブレット端末５００は、防犯モードに設定されているか否かをユーザに提示する。
【００２５】
商用電源６００は、電力会社などが電力消費システムに電力を供給する電源である。商用電源６００により供給される電力は、交流電力である。商用電源６００は、照明装置２０１とテレビ２０２と空調機器２０３とのそれぞれに交流電力を供給する。なお、本実施形態では、需要家は、電力会社から電力を買うことができるが、電力会社に電力を売ることができないものとする。
【００２６】
宅内ネットワーク７１０は、宅内に構築されるネットワークである。宅内ネットワーク７１０は、例えば、電気機器制御装置１００と電気機器とセンサ３００と電力計測装置４００とタブレット端末５００とが相互に通信するためのホームネットワークである。宅内ネットワーク７１０は、例えば、無線ＬＡＮなどのネットワークである。
【００２７】
宅外ネットワーク７２０は、宅外に構築されるネットワークである。宅外ネットワーク７２０は、例えば、電気機器制御装置１００とモバイル機器８００とクラウドサーバ９００とが相互に通信するためのネットワークである。宅外ネットワーク７２０は、例えば、インターネットなどのＷＡＮ（Wide Area Network）である。
【００２８】
モバイル機器８００は、情報処理機能や通信機能などを有する端末装置である。モバイル機器８００は、制御部８０１と、宅外インターフェース８０２と、タッチスクリーン８０３と、を備える。制御部８０１は、ＣＰＵ、ＲＯＭ、ＲＡＭなどを備え、モバイル機器８００の全体の動作を制御する。宅外インターフェース８０２は、制御部８０１による制御に従って、モバイル機器８００を宅外ネットワーク７２０に接続する。タッチスクリーン８０３は、ユーザによりなされたタッチ操作を検知したり、制御部８０１から供給された画像信号に基づく画像を表示したりする。このように、タッチスクリーン８０３は、モバイル機器８００のユーザインターフェースとして機能する。
【００２９】
例えば、モバイル機器８００は、外出先のユーザから、防犯設定の変更指示を受け付ける。また、例えば、モバイル機器８００は、外出先のユーザに、防犯モードが設定された旨を通知する。モバイル機器８００は、宅外ネットワーク７２０を介して電気機器制御装置１００と接続され、電気機器制御装置１００のユーザインターフェースとして機能する。つまり、ユーザは、モバイル機器８００を介して、電気機器制御装置１００を操作したり、電気機器制御装置１００が有する情報を取得したりすることができる。
【００３０】
クラウドサーバ９００は、クラウドコンピューティングにおけるリソースを提供するサーバである。クラウドサーバ９００は、制御部９０１と、宅外インターフェース９０２と、記憶部９０３と、を備える。制御部９０１は、ＣＰＵ、ＲＯＭ、ＲＡＭなどを備え、クラウドサーバ９００の全体の動作を制御する。宅外インターフェース９０２は、制御部９０１による制御に従って、クラウドサーバ９００を宅外ネットワーク７２０に接続する。記憶部９０３は、電気機器制御装置１００に提供される情報を記憶する。記憶部９０３に記憶される情報は、電気機器制御装置１００から供給された情報であってもよいし、他の装置から供給された情報であってもよい。クラウドサーバ９００は、電気機器制御装置１００からの要求に応答して、記憶部９０３に記憶されている情報を電気機器制御装置１００に供給する。また、クラウドサーバ９００は、電気機器制御装置１００からの要求に応答して、要求された処理を実行し、処理結果を示す情報を電気機器制御装置１００に送信する。
【００３１】
次に、図３を参照して、本実施形態に係る電気機器制御装置１００の機能について説明する。図３に示すように、電気機器制御装置１００は、機能的には、モード設定部１０１と、生成部１０２と、制御部１０３と、レベル取得部１０４と、閾値設定部１０５と、位置記憶部１０６と、稼働履歴記憶部１０７と、判別部１０８と、消費電力取得部１０９と、電力履歴記憶部１１０と、を備える。
【００３２】
モード設定部１０１は、防犯モードを設定する。防犯モードは、在宅を装うように電気機器が制御される動作モードである。防犯モードは、留守番モードもしくは警戒モードと考えることができる。一方、通常モードは、防犯モード以外のモードであり、予め定められたプログラム、又は、ユーザによる指示に従って、電気機器が制御される動作モードである。モード設定部１０１は、防犯モードと通常モードとのうちのいずれか一方を、電気機器制御装置１００の動作モードとして設定する。モード設定部１０１は、例えば、ＣＰＵ１１を備える。
【００３３】
生成部１０２は、電力消費システムの消費電力の予測値が所定の閾値以下となる制御パターンを生成する。電力消費システムの消費電力の予測値は、電力消費システムが備える少なくとも１つの電気機器が制御パターンに従って制御された場合に、電力消費システムにより消費されることが予測される電力の値である。また、上述した閾値は、電力消費システムにより消費されることを許容する電力の最大値である。なお、本実施形態では、特に明示がない場合、閾値は、消費電力の予測値の閾値である。制御パターンは、電力消費システムが備える少なくとも１つの電気機器のそれぞれに対する制御内容を含む。制御内容は、例えば、出力モードや、動作モードである。
【００３４】
生成部１０２は、なるべく少ない消費電力でなるべく高い防犯効果が得られるように、制御パターンを生成する。例えば、生成部１０２は、電気機器を省エネモードで動作させる制御を優先的に制御パターンに含める。電気機器を省エネモードで動作させる制御は、例えば、空調機器２０３に送風のみさせる制御、空調機器２０３に室外機のファンのみを駆動させる制御、通りに面した部屋に配置された照明機器２０１のみに照明させる制御、照明機器２０１に照度を落として照明させる制御、テレビ２０２に音声のみを出力させる制御などである。生成部１０２は、例えば、ＣＰＵ１１を備える。
【００３５】
制御部１０３は、モード設定部１０１により防犯モードが設定されている間、生成部１０２により生成された制御パターンに基づいて、少なくとも１つの電気機器のそれぞれを制御する。制御部１０３は、例えば、ＣＰＵ１１と宅内インターフェース１７とを備える。
【００３６】
レベル取得部１０４は、防犯のレベルを示す情報（以下、「防犯レベル情報」という。）を取得する。防犯レベル情報は、防犯のレベルがどの程度であるかを示す情報である。防犯レベル情報は、例えば、予め定められた期間（例えば、１日、１週間、１ヶ月間、１年間）において、防犯のために消費することが許容される電力量を示す情報である。もしくは、防犯レベル情報は、例えば、所望する防犯の程度（高い、中程度、低い）を示す情報であってもよい。レベル取得部１０４は、例えば、タッチスクリーン１６を備える。
【００３７】
閾値設定部１０５は、レベル取得部１０４により取得された防犯レベル情報に基づいて、上述した閾値を設定する。例えば、防犯レベル情報により、１ヶ月当たりの防犯のために消費することが許容される電力量（以下、「１ヶ月当たりの許容消費電力量」という。）が示されているものとする。この場合、閾値設定部１０５は、１ヶ月当たりの許容消費電力量から、月初めから現時点までに防犯のために消費された電力量（以下、「消費済電力量」という。）を減じた電力量を、現時点から月末までに防犯のために消費することが可能な電力量（以下、「消費可能電力量」という。）として求める。
【００３８】
そして、閾値設定部１０５は、例えば、現時点から月末までに防犯モードが設定されることが予測される時間の長さ（以下、「予測設定時間長」という。）と、消費可能電力量と、に基づいて、閾値を設定する。閾値設定部１０５は、例えば、予測設定時間長が短いほど、また、消費可能電力量が多いほど、閾値が大きくなるように設定する。典型的には、閾値設定部１０５は、消費可能電力量を予測設定時間長で除算した値を閾値に設定する。なお、閾値設定部１０５は、防犯モードの設定実績などに基づいて、予測設定時間長を求める。閾値設定部１０５は、例えば、ＣＰＵ１１を備える。
【００３９】
ここで、生成部１０２は、消費電力の予測値が閾値を超える制御パターンに含まれる制御を除外又は低出力化する処理を、消費電力の予測値が閾値以下となるまで繰り返してもよい。かかる手法によれば、生成部１０２は、消費電力の予測値が閾値以下となる制御パターンを生成することができる。なお、消費電力の予測値が閾値を超える制御パターンは、生成部１０２により生成される制御パターンであってもよいし、予め定められた制御パターンであってもよい。例えば、生成部１０２は、省エネを考慮せずに在宅を装う理想的な制御パターンを生成することにより、消費電力の予測値が閾値を超える制御パターンを生成することが期待できる。
【００４０】
ここで、除外又は低出力化される制御は、除外又は低出力化されたときに、防犯効果の予測値の減少量に対する、消費電力の予測値の減少量の割合が最高となる制御であることが好適である。つまり、除外又は低出力化が望まれる制御は、除外又は低出力化されたときに、防犯効果があまり低下せず、消費電力が大きく減少する制御である。このように、消費電力が大きい割に防犯効果が低い制御から順に除外又は低出力化されることにより、消費電力の割に防犯効果が高い制御パターンが生成される。なお、防犯効果の予測値は、予測される防犯効果の高さを示す値である。
【００４１】
位置記憶部１０６は、少なくとも１つの電気機器のそれぞれが配置される位置を示す情報（以下、「位置情報」という。）を記憶する。位置情報は、例えば、宅内のレイアウトを示す情報と、このレイアウト上における各電気機器の座標を示す情報と、を含む。位置情報は、通りに面している部屋、又は、外部から確認しやすい部屋を示す情報などを含んでいてもよい。
【００４２】
ここで、生成部１０２は、位置記憶部１０６に記憶された位置情報に基づいて、制御パターンを生成する。なお、生成部１０２は、防犯効果の予測値が高い制御ほど、優先的に、制御パターンに組み込む。例えば、音が宅外に響きやすい位置に配置された電気機器に対して音を出力させる制御や、動作が宅外から確認しやすい位置に配置された電気機器に対して動作させる制御が、優先的に、制御パターンに組み込まれる。なお、音が宅外に響きやすい位置や、動作が宅外から確認しやすい位置としては、窓際に近い位置が考えられる。特に、照明装置２０１が外から見える部屋に配置されている場合、この照明装置２０１を点灯させる制御は、防犯効果の予測値が高い制御であると言える。
【００４３】
なお、防犯効果の予測値は、例えば、電気機器の種類と、制御内容と、電気機器の位置と、を相互に対応付ける情報（以下、「予測値特定用情報」という。）により特定される。予測値特定用情報は、例えば、外から見やすい部屋に配置された照明装置２０１を点灯させる制御による防犯効果の予測値が１００であり、外から見にくい部屋に配置された照明装置２０１を点灯させる制御による防犯効果の予測値は２０である、ということを示す情報である。
【００４４】
稼働履歴記憶部１０７は、少なくとも１つの電気機器のそれぞれの稼働履歴を記憶する。稼働履歴は、例えば、稼働状態と、この稼働状態が維持された時間と、を対応付ける情報である。なお、稼働状態が維持された時間は、例えば、この稼働状態となった時刻と、この稼働状態でなくなった時刻とにより特定される。稼働履歴記憶部１０７は、例えば、フラッシュメモリ１４を備える。
【００４５】
そして、生成部１０２は、稼働履歴記憶部１０７に記憶された稼働履歴に基づいて、制御パターンを生成する。例えば、生成部１０２は、稼働履歴に基づいて、在宅中の制御パターンを特定し、特定した制御パターンと同様の制御パターンを生成する。典型的には、生成部１０２は、数ヶ月間分の稼働履歴に対して統計処理を実行する。そして、生成部１０２は、制御パターンの生成時と同じ曜日及び時間帯において、実現された確率が高い稼働状況を再現する制御パターンを生成する。このような制御パターンに基づく制御によれば、在宅を装うことができる。
【００４６】
判別部１０８は、留守中であるか否かを判別する。判別部１０８が、留守中であるか否かを判別する手法は、適宜、調整することができる。判別部１０８は、例えば、ＣＰＵ１１を備える。ここで、モード設定部１０１は、判別部１０８により留守中であると判別されたことに応答して、防犯モードを設定する。一方、モード設定部１０１は、判別部１０８により留守中でないと判別されたことに応答して、通常モードを設定する。
【００４７】
消費電力取得部１０９は、電力消費システムの消費電力を示す情報（以下、「消費電力情報」という。）を取得する。例えば、消費電力取得部１０９は、照明装置２０１とテレビ２０２と空調機器２０３とにより消費されている電力の合計値を取得する。消費電力取得部１０９は、例えば、宅内インターフェース１７を備える。
【００４８】
電力履歴記憶部１１０は、消費電力取得部１０９により取得された消費電力情報により示される消費電力の履歴を記憶する。消費電力の履歴は、例えば、消費電力を時刻毎に示す情報である。電力履歴記憶部１１０は、例えば、フラッシュメモリ１４を備える。
【００４９】
ここで、判別部１０８は、電力履歴記憶部１１０に記憶された消費電力の履歴に基づいて、留守中であるか否かを判別する。例えば、判別部１０８は、消費電力の時間変動の周波数成分に基づいて、留守中であるか否かを判別する。例えば、判別部１０８は、時間領域で表現された消費電力をフーリエ変換し、周波数領域で表現された強度分布を取得する。そして、判別部１０８は、特定の周波数帯域の強度が、予め定められた強度以下である場合、留守中であると判別する。特定の周波数帯域は、比較的高い周波数帯域に設定される。本実施形態では、特定の周波数帯域における強度が大きいことは、電気機器が手動で頻繁に制御されたことを意味する。その理由は、在宅中にユーザにより電気機器が手動で頻繁に制御された場合、留守中に電気機器が自動で頻繁に制御された場合よりも、消費電力が激しく変動するためである。
【００５０】
次に、図４を参照して、照明装置２０１の防犯効果の予測値について説明する。図４は、制御対象を照明装置２０１とした場合における、制御内容と、消費電力の予測値（Ｗ）と、防犯効果の予測値と、指標と、の対応関係を示している。制御内容は、例えば、出力の大きさや動作モードである。消費電力の予測値は、対応付けられた制御が対応付けられた電気機器により実行されたときに、対応付けられた電気機器により消費されることが予測される電力の値である。防犯効果の予測値は、対応付けられた制御が対応付けられた電気機器により実行されている間に得られることが予測される防犯効果の程度を示す値である。
【００５１】
指標は、対応付けられた制御を１段階レベルの低い制御に切り替えるか否かを判別する際に参照される値である。ある制御を１段階レベルの低い制御に切り替えることは、この制御を除外又は低出力化することを意味する。指標は、例えば、対応付けられた制御を１段階レベルの低い制御に切り替えたときにおける、防犯効果の予測値の減少量に対する消費電力の予測値の減少量の割合である。従って、防犯効果をなるべく維持しつつ消費電力をなるべく下げたい場合、大きな指標に対応付けられた制御から順に、除外又は低出力化することが好適である。
【００５２】
図４に示すように、基本的に、レベルの高い制御ほど、消費電力の予測値が大きく、防犯効果の予測値も大きい。図４に示す例では、制御内容が高レベル出力である場合、消費電力の予測値は１００Ｗであり、防犯効果の予測値が１００であり、指標が２．５である。また、制御内容が中レベル出力である場合、消費電力の予測値は５０Ｗであり、防犯効果の予測値が８０であり、指標が１である。そして、制御内容が低レベル出力である場合、消費電力の予測値は２０Ｗであり、防犯効果の予測値が５０であり、指標が０．４である。なお、制御内容が出力オフである場合、消費電力の予測値は０Ｗであり、防犯効果の予測値が０である。
【００５３】
次に、図５を参照して、テレビ２０２の防犯効果の予測値について説明する。図５は、制御対象をテレビ２０２とした場合における、制御内容と、消費電力の予測値（Ｗ）と、防犯効果の予測値と、指標と、の対応関係を示している。図５に示すように、基本的に、レベルの高い制御ほど、消費電力の予測値が大きく、防犯効果の予測値も大きい。図５に示す例では、制御内容が映像及び音声出力である場合、消費電力の予測値は２５０Ｗであり、防犯効果の予測値が３００であり、指標が２である。また、制御内容が音声出力である場合、消費電力の予測値は５０Ｗであり、防犯効果の予測値が２００であり、指標が０．２５である。なお、制御内容が出力オフである場合、消費電力の予測値は０Ｗであり、防犯効果の予測値が０である。
【００５４】
次に、図６を参照して、空調機器２０３の防犯効果の予測値について説明する。図６は、制御対象を空調機器２０３とした場合における、制御内容と、消費電力の予測値（Ｗ）と、防犯効果の予測値と、指標と、の対応関係を示している。図６に示すように、基本的に、レベルの高い制御ほど、消費電力が大きく、防犯効果も大きい。図６に示す例では、制御内容が通常制御である場合、消費電力の予測値は４００Ｗであり、防犯効果の予測値が５０であり、指標が２０である。なお、通常制御は、例えば、予め設定された温度及び湿度になるように、温度及び湿度を調整する制御である。また、制御内容が省エネ制御である場合、消費電力の予測値は２００Ｗであり、防犯効果の予測値が４０であり、指標が５である。なお、省エネ制御は、例えば、送風のみが実行される制御である。なお、制御内容が制御オフである場合、消費電力の予測値は０Ｗであり、防犯効果の予測値が０である。
【００５５】
図４、図５、図６などに示す対応関係を示す情報（以下、「対応関係情報」という。）は、フラッシュメモリ１４に記憶されているものとする。なお、対応関係情報は、制御対象の電気機器と、制御内容と、制御対象の電気機器の位置と、制御対象の電気機器の消費電力の予測値と、制御対象の電気機器の防犯効果の予測値と、の対応関係を示す情報である。そして、生成部１０２は、これらの対応関係情報を参照して、消費電力の予測値が比較的小さい割に、防犯効果の予測値が比較的大きい制御パターンを生成する。
【００５６】
次に、図７、図８、図９を参照して、消費電力の予測値が閾値を超える制御パターンを、消費電力の予測値が閾値以下である制御パターンに補正する手法について説明する。なお、本実施形態では、１５：００に防犯モードが設定され、１時間分の制御パターンが生成され、防犯モードに設定されてから１時間経過した１６：００に、防犯モードが解除される例について説明する。
【００５７】
図７は、補正前の制御パターンを示す。補正前の制御パターンは、位置情報や稼動履歴などに基づいて生成され、消費電力が考慮されずに生成される。従って、補正前の制御パターンは、防犯効果は高いことが予測されるが、消費電力が閾値を超えてしまうことが考えられる。
【００５８】
図７に示すように、補正前の制御パターンは、１５：００から１６：００まで、照明装置２０１に高レベルで出力させ、テレビ２０２に映像及び音声を出力させ、空調機器２０３に通常制御させる制御パターンである。照明装置２０１は、高レベルで出力するため、消費電力の予測値は１００Ｗである。テレビ２０２は、映像及び音声を出力するため、消費電力の予測値は２５０Ｗである。また、空調機器２０３は、通常制御するため、消費電力の予測値は４００Ｗである。従って、補正前の制御パターンは、消費電力の予測値が７５０Ｗである。
【００５９】
また、照明装置２０１は、高レベルで出力するため、防犯効果の予測値は１００である。テレビ２０２は、映像及び音声を出力するため、防犯効果の予測値は３００である。また、空調機器２０３は、通常制御するため、防犯効果の予測値は５０である。従って、補正前の制御パターンは、防犯効果の予測値が４５０である。以下、閾値が１００Ｗであり、この補正前の制御パターンを、消費電力の予測値が１００Ｗ以下になるまで補正する手法について説明する。
【００６０】
まず、補正前の制御パターンに含まれる制御のうち、最も指標が高い制御は、空調機器２０３の通常制御である。従って、図８に示すように、１回目の補正後の制御パターンは、補正前の制御パターンにおいて、空調機器２０３の通常制御が省エネ制御に低出力化された制御パターンとなる。１回目の補正後の制御パターンは、消費電力の予測値が閾値である１００Ｗを超える５５０Ｗであり、防犯効果の予測値が４４０である。従って、さらなる制御パターンの補正が実行される。
【００６１】
まず、１回目の補正後の制御パターンに含まれる制御のうち、最も指標が高い制御は、空調機器２０３の省エネ制御である。従って、図８に示すように、２回目の補正後の制御パターンは、１回目の補正後の制御パターンにおいて、空調機器２０３の省エネ制御が除外された制御パターンとなる。２回目の補正後の制御パターンは、消費電力の予測値が閾値である１００Ｗを超える３５０Ｗであり、防犯効果の予測値が４００である。従って、さらなる制御パターンの補正が実行される。
【００６２】
まず、２回目の補正後の制御パターンに含まれる制御のうち、最も指標が高い制御は、照明装置２０１の高レベル出力である。従って、図８に示すように、３回目の補正後の制御パターンは、２回目の補正後の制御パターンにおいて、照明装置２０１の高レベル出力が中レベル出力に低レベル化された制御パターンとなる。３回目の補正後の制御パターンは、消費電力の予測値が閾値である１００Ｗを超える３００Ｗであり、防犯効果の予測値が３８０である。従って、さらなる制御パターンの補正が実行される。
【００６３】
まず、３回目の補正後の制御パターンに含まれる制御のうち、最も指標が高い制御は、テレビ２０２の映像及び音声出力である。従って、図８に示すように、４回目の補正後の制御パターンは、３回目の補正後の制御パターンにおいて、テレビ２０２の映像及び音声出力が音声出力に低レベル化された制御パターンとなる。４回目の補正後の制御パターンは、消費電力の予測値が閾値である１００Ｗ以下である１００Ｗであり、防犯効果の予測値が２８０である。従って、４回目の補正後の制御パターンが、最終的な制御パターンに決定される。
【００６４】
図９は、４回目の補正後の制御パターンを示す。４回目の補正後の制御パターンは、補正前の制御パターンに比べ、防犯効果の予測値はある程度小さいが、消費電力の予測値は閾値以下である。図９に示すように、４回目の補正後の制御パターンは、１５：００から１６：００まで、照明装置２０１に中レベルで出力させ、テレビ２０２に音声を出力させる制御パターンである。従って、４回目の補正後の制御パターンは、消費電力の予測値が１００Ｗであり、防犯効果の予測値が２８０である。
【００６５】
次に、図１０に示すフローチャートを参照して、実施形態１に係る電気機器制御装置１００が実行する電気機器制御処理について説明する。電気機器制御装置１００は、例えば、電源が投入されたことに応答して、図１０に示す電気機器制御処理を開始する。
【００６６】
まず、ＣＰＵ１１は、電力消費システムの消費電力を取得する（ステップＳ１０１）。例えば、ＣＰＵ１１は、宅内インターフェース１７が電力計測装置４００から受信した消費電力情報を取得する。消費電力情報は、電力消費システムの消費電力を示す情報である。なお、ＣＰＵ１１は、各種の情報を、フラッシュメモリ１４に記憶したり、フラッシュメモリ１４から読み出したり、フラッシュメモリ１４上において更新したりする。しかしながら、以下の説明では、理解を容易にするため、ＣＰＵ１１が各種の情報を処理する際、フラッシュメモリ１４にアクセスする旨を省略する。
【００６７】
ＣＰＵ１１は、ステップＳ１０１の処理を完了すると、防犯設定の変更指示があるか否かを判別する（ステップＳ１０２）。例えば、ＣＰＵ１１は、タッチスクリーン１６から供給される信号に基づいて、防犯設定の変更を指示する操作がタッチスクリーン１６により受け付けられたか否かを判別する。
【００６８】
ＣＰＵ１１は、防犯設定の変更指示があると判別した場合（ステップＳ１０２：ＹＥＳ）、防犯設定を変更する（ステップＳ１０３）。例えば、ＣＰＵ１１は、防犯設定を受け付ける画面をタッチスクリーン１６に表示させ、タッチスクリーン１６に受け付けられた指示に従って、防犯設定を変更する。防犯設定は、防犯モード許否設定、防犯レベル設定などを含む。防犯モード許否設定は、防犯モードが設定されることを許容するか否かの設定である。防犯レベル設定は、どの程度のレベルで防犯するのかを示す設定である。防犯レベル設定は、典型的には、１ヶ月当たりの許容消費電力量の設定である。防犯設定を示す情報である防犯設定情報は、フラッシュメモリ１４に記憶されているものとする。ＣＰＵ１１は、防犯設定が変更された場合、防犯設定情報を更新する。
【００６９】
ＣＰＵ１１は、防犯設定の変更指示がないと判別した場合（ステップＳ１０２：ＮＯ）、又は、ステップＳ１０３の処理を完了した場合、動作モード切替処理を実行する（ステップＳ１０４）。以下、図１１に示すフローチャートを参照して、動作モード切替処理について詳細に説明する。
【００７０】
まず、ＣＰＵ１１は、現在時刻が深夜時間帯であるか否かを判別する（ステップＳ２０１）。例えば、ＣＰＵ１１は、ＲＴＣ１５から供給される時刻情報に基づく現在時刻が、予め定められた深夜時間帯に含まれる時刻であるか否かを判別する。なお、深夜時間帯は、例えば、２２：００〜翌０７：００の時間帯であり、防犯のために在宅を装う必要がないと考えられる時間帯である。なお、深夜時間帯は、タッチスクリーン１６を介して、ユーザにより設定されてもよいし、稼動履歴などに基づいてＣＰＵ１１により特定されてもよい。
【００７１】
ＣＰＵ１１は、現在時刻が深夜時間帯でないと判別すると（ステップＳ２０１：ＮＯ）、特定機器が使用中であるか否かを判別する（ステップＳ２０２）。特定機器は、自動運転しない機器、つまり、在宅でなければ使用されないことが明らかである電気機器である。特定機器は、例えば、テレビ２０２、ドライヤー、ＩＨ（Induction Heating）クッキングヒーターなどである。ＣＰＵ１１は、例えば、宅内インターフェース１７を介して、宅内ネットワーク７１０に接続された特定機器にアクセスすることにより、特定機器が使用中であるか否かを判別する。
【００７２】
ＣＰＵ１１は、特定機器が使用中でないと判別すると（ステップＳ２０２：ＮＯ）、消費電力システムの消費電力に変動があるか否かを判別する（ステップＳ２０３）。ＣＰＵ１１は、フラッシュメモリ１４に記憶された消費電力履歴に基づいて、消費電力システムの消費電力に変動があるか否かを判別する。以下、図１２を参照して、消費電力システムの消費電力に変動があるか否かを判別する手法について説明する。
【００７３】
図１２は、消費電力システムの消費電力を時刻毎に示すグラフであり、消費電力システムの消費電力を時間領域において示すグラフである。図１２に示す例では、１２：００から１３：００まで、及び、１４：００以降が留守期間であり、１３：００から１４：００までが在宅期間である。ここで、留守期間では、電気機器は、動作しないか、単純な制御に従って動作する可能性が高い。従って、留守期間における消費電力システムの消費電力は、急激に変化することは稀であり、図１２に示すように、変化しないか、もしくは、比較的緩やかに変化する。つまり、留守期間における消費電力システムの消費電力の時間変動の周波数成分は、比較的低い周波数帯域に集中すると予測される。
【００７４】
一方、在宅期間では、電気機器は、ユーザによる制御に従って動作する可能性が高い。従って、在宅期間における消費電力システムの消費電力は、図１２に示すように、急激に変化することがある。つまり、在宅期間における消費電力システムの消費電力の時間変動の周波数成分は、比較的高い周波数帯域に集中すると予測される。そこで、まず、ＣＰＵ１１は、予め定められた期間（例えば、１０分間）毎に、消費電力システムの消費電力時間変動の周波数成分を求める。そして、ＣＰＵ１１は、求められた周波数成分のうち、予め定められた周波数帯域における成分が基準値以上である場合に、その期間を在宅期間であると判別する。一方、ＣＰＵ１１は、求められた周波数成分のうち、予め定められた周波数帯域における成分が基準値未満である場合に、その期間を留守期間であると判別する。
【００７５】
なお、予め定められた周波数帯域における成分は、例えば、消費電力システムの消費電力を示す時系列のデータをバンドパスフィルタもしくはハイパスフィルタを通すことにより得られる。もしくは、予め定められた周波数帯域における成分は、例えば、消費電力システムの消費電力を示す時系列のデータをフーリエ変換し、フーリエ変換により得られた全周波数帯域の成分から、予め定められた周波数帯域における成分を抽出することにより得られる。
【００７６】
ＣＰＵ１１は、消費電力システムの消費電力に変動がないと判別すると（ステップＳ２０３：ＮＯ）、防犯モードの設定が許可されているか否かを判別する（ステップＳ２０４）。例えば、ＣＰＵ１１は、防犯設定情報に基づいて、防犯モードの設定が許可されているか否かを判別する。なお、防犯モードが設定されているときにも、防犯モードの設定が変更されうる。従って、例えば、防犯モードが設定されているときに、防犯モードの設定が禁止された場合、ステップＳ２０９において、防犯モードが解除されて通常モードが設定される。
【００７７】
ＣＰＵ１１は、防犯モードの設定が許可されていると判別すると（ステップＳ２０４：ＹＥＳ）、動作モードが通常モードであるか否かを判別する（ステップＳ２０５）。例えば、ＣＰＵ１１は、動作モード情報に基づいて、動作モードが通常モードであるか否かを判別する。なお、動作モード情報は、動作モードが、通常モードと防犯モードとのうちのいずれであるのかを示す情報である。
【００７８】
ＣＰＵ１１は、動作モードが通常モードであると判別すると（ステップＳ２０５：ＹＥＳ）、動作モードを防犯モードに変更する（ステップＳ２０６）。例えば、ＣＰＵ１１は、動作モード情報を、動作モードが防犯モードであることを示すように更新する。ＣＰＵ１１は、ステップＳ２０６の処理を完了すると、制御パターン生成処理を実行する（ステップＳ２０７）。以下、図１３を参照して、制御パターン生成処理について詳細に説明する。
【００７９】
まず、ＣＰＵ１１は、消費済電力量を算出する（ステップＳ３０１）。上述したように、消費済電力量は、月初めから現時点までに防犯のために消費された電力量である。例えば、ＣＰＵ１１は、消費電力履歴と防犯モード設定履歴とに基づいて、消費済電力量を算出する。なお、防犯モード設定履歴は、防犯モードが設定された履歴を示す情報であり、例えば、防犯モードが設定されていた期間を示す情報である。
【００８０】
ＣＰＵ１１は、ステップＳ３０１の処理を完了すると、閾値を算出する（ステップＳ３０２）。例えば、ＣＰＵ１１は、消費済電力量と消費可能電力量と予測設定時間長と、に基づいて、閾値を算出する。典型的には、ＣＰＵ１１は、消費可能電力量から消費済電力量を減算することにより得られる電力量を、予測設定時間長で除算することにより得られる値を、閾値として算出する。
【００８１】
ＣＰＵ１１は、ステップＳ３０２の処理を完了すると、制御パターンを生成する（ステップＳ３０３）。例えば、ＣＰＵ１１は、位置情報と稼動履歴とに基づいて、消費電力の予測値を考慮せずに、防犯効果が高いと予測される制御パターンを生成する。
【００８２】
ＣＰＵ１１は、ステップＳ３０３の処理を完了すると、生成した制御パターンの消費電力の予測値を算出する（ステップＳ３０４）。例えば、ＣＰＵ１１は、生成した制御パターンと対応関係情報とに基づいて、生成した制御パターンの消費電力の予測値を算出する。
【００８３】
ＣＰＵ１１は、ステップＳ３０４の処理を完了すると、消費電力の予測値が閾値以下であるか否かを判別する（ステップＳ３０５）。ＣＰＵ１１は、消費電力の予測値が閾値以下でないと判別すると（ステップＳ３０５：ＮＯ）、制御パターンを補正する（ステップＳ３０６）。例えば、ＣＰＵ１１は、対応関係情報などに基づいて、消費電力の予測値の割に防犯効果の予測値が高い制御が優先的に残るように、制御パターンを補正する。ＣＰＵ１１は、ステップＳ３０６の処理を完了すると、ステップＳ３０４に処理を戻す。一方、ＣＰＵ１１は、消費電力の予測値が閾値以下であると判別すると（ステップＳ３０５：ＹＥＳ）、制御パターン生成処理を完了する。
【００８４】
図１１の説明に戻る。ＣＰＵ１１は、動作モードが通常モードでないと判別した場合（ステップＳ２０５：ＮＯ）、防犯モードが１時間以上継続しているか否かを判別する（ステップＳ２０８）。ＣＰＵ１１は、現在時刻が深夜時間帯であると判別した場合（ステップＳ２０１：ＹＥＳ）、特定機器が使用中であると判別した場合（ステップＳ２０２：ＹＥＳ）、電力消費システムの消費電力に変動があると判別した場合（ステップＳ２０３：ＹＥＳ）、防犯モードの設定が許可されていないと判別した場合（ステップＳ２０４：ＮＯ）、防犯モードが１時間以上継続していると判別した場合（ステップＳ２０８：ＹＥＳ）、動作モードを通常モードに変更する（ステップＳ２０９）。例えば、ＣＰＵ１１は、動作モード情報を、動作モードが通常モードを示すように更新する。ＣＰＵ１１は、防犯モードが１時間以上継続していないと判別した場合（ステップＳ２０８：ＮＯ）、ステップＳ２０７又はステップＳ２０９の処理を完了した場合、動作モード切替処理を完了する。
【００８５】
図１０の説明に戻る。ＣＰＵ１１は、ステップＳ１０４の処理を完了すると、動作モードが防犯モードであるか否かを判別する（ステップＳ１０５）。例えば、ＣＰＵ１１は、動作モード情報に基づいて、動作モードが防犯モードであるか否かを判別する。ＣＰＵ１１は、動作モードが防犯モードであると判別すると（ステップＳ１０５：ＹＥＳ）、防犯モード処理を実行する（ステップＳ１０６）。防犯モード処理は、ＣＰＵ１１が、制御パターンにより示される制御スケジュールに従って、電気機器を制御する処理である。
【００８６】
一方、ＣＰＵ１１は、動作モードが防犯モードでないと判別すると（ステップＳ１０５：ＮＯ）、通常モード処理を実行する（ステップＳ１０７）。通常モード処理は、ＣＰＵ１１が、制御パターンにより示される制御スケジュールに従わずに、ユーザによる指示などに従って、電気機器を制御する処理である。ＣＰＵ１１は、ステップＳ１０６又はステップＳ１０７の処理を完了すると、ステップＳ１０１に処理を戻す。
【００８７】
本実施形態では、防犯モードが設定されている間、電力消費システムが備える少なくとも１つの電気機器のそれぞれが、電力消費システムの消費電力の予測値が閾値以下となる制御パターンに基づいて制御される。従って、本実施形態によれば、なるべく少ない消費電力で防犯することができる。
【００８８】
また、本実施形態では、防犯のレベルを示す情報に基づいて、消費電力の予測値の閾値が設定される。従って、本実施形態によれば、防犯のレベルに応じて、防犯と省エネとを両立することができる。
【００８９】
また、本実施形態では、消費電力の予測値が閾値を超える制御パターンに含まれる制御を除外又は低出力化する処理が、消費電力の予測値が閾値以下になるまで繰り返される。従って、本実施形態によれば、防犯と省エネとを両立する制御パターンを容易に生成することができる。
【００９０】
また、本実施形態では、除外又は低出力化される制御は、除外又は低出力化されたときに、防犯効果の減少量に対する、消費電力の予測値の減少量が最高となる制御である。従って、本実施形態によれば、消費電力の割に防犯効果が高い制御を含む制御パターンを容易に生成することができる。
【００９１】
また、本実施形態では、少なくとも１つの電気機器のそれぞれが配置される位置を示す情報に基づいて、制御パターンが生成される。従って、本実施形態によれば、例えば、レイアウトに応じた、防犯効果が高い制御パターンを生成することができる。
【００９２】
また、本実施形態では、少なくとも１つの電気機器のそれぞれの使用履歴に基づいて、制御パターンが生成される。従って、本実施形態によれば、例えば、在宅時における稼働状況に応じた、防犯効果が高い制御パターンを生成することができる。
【００９３】
また、本実施形態では、留守中であると判別されたことに応答して、防犯モードが設定される。従って、本実施形態によれば、ユーザが防犯モードを設定し忘れることにより、防犯モードに設定されないという事態が防止される。このように、本実施形態によれば、適切なタイミングで防犯モードに自動で移行することができる。
【００９４】
また、本実施形態では、電力消費システムの消費電力の履歴に基づいて、留守中であるか否かが判別される。従って、本実施形態によれば、簡単な構成で、防犯モードに移行するタイミングを適切に判別することができる。
【００９５】
また、本実施形態では、電力消費システムの消費電力の時間変動の周波数成分に基づいて、留守中であるか否かが判別される。従って、本実施形態によれば、簡単な構成で、防犯モードに移行するタイミングをさらに適切に判別することができる。
【００９６】
（実施形態２）
実施形態１では、電力消費システムの消費電力の履歴に基づいて、留守中であるか否かが判別される例について説明した。本発明において、留守中であるか否かを判別する手法は、この例に限定されない。本実施形態では、外出予定情報に基づいて、留守中であるか否かが判別される例について説明する。なお、実施形態２に係る電気機器制御装置１５０は、物理的な構成に関しては、基本的に、実施形態１に係る電気機器制御装置１００と同様である。
【００９７】
以下、図１４を参照して、本実施形態に係る電気機器制御装置１５０の機能について説明する。図１４に示すように、電気機器制御装置１５０は、機能的には、モード設定部１０１と、生成部１０２と、制御部１０３と、レベル取得部１０４と、閾値設定部１０５と、位置記憶部１０６と、稼働履歴記憶部１０７と、判別部１０８と、予定記憶部１１１と、を備える。以下、電気機器制御装置１５０が備える構成のうち、電気機器制御装置１００が備える構成とは異なる部分について説明する。
【００９８】
予定記憶部１１１は、ユーザの外出予定を示す情報（以下、「外出予定情報」という。）を記憶する。例えば、外出予定情報は、家族全員のスケジュールを示す情報であり、家族全員が外出することが予定されている時間帯を示す情報である。外出予定情報は、例えば、お父さんが平日の昼間会社に行くこと、お母さんが週３回パートに行くこと、子供が平日の昼間に学校に行くこと、などを示す情報を含んでいてもよい。また、外出予定情報は、電気自動車を使用する時間帯を示す情報を含んでいてもよい。外出予定情報は、例えば、タッチスクリーン１６に対するユーザの操作などにより生成される。予定記憶部１１１は、例えば、フラッシュメモリ１４を備える。
【００９９】
ここで、判別部１０８は、予定記憶部１１１に記憶された外出予定情報に基づいて、留守中であるか否かを判別する。例えば、判別部１０８は、現在時刻が、外出予定情報により示される、家族全員が外出することが予定されている時間帯に含まれると判別した場合、留守中であると判別する。
【０１００】
また、閾値設定部１０５は、防犯モードの設定実績に加え、外出予定情報に基づいて、予測設定時間長を求めることができる。
【０１０１】
本実施形態では、ユーザの外出予定を示す情報に基づいて、留守中であるか否かが判別される。従って、本実施形態によれば、防犯モードに移行するタイミングを適切に判別することができる。
【０１０２】
（変形例）
以上、本発明の実施形態を説明したが、本発明を実施するにあたっては、種々の形態による変形及び応用が可能である。
【０１０３】
本発明において、実施形態１や実施形態２において説明した構成、機能、動作のどの部分を採用するのかは任意である。また、本発明において、上述した構成、機能、動作のほか、更なる構成、機能、動作が採用されてもよい。また、実施形態１や実施形態２において説明した構成、機能、動作は、適宜、組み合わせることができる。
【０１０４】
実施形態１では、電気機器制御装置１００が、在宅を装うための多くの機能を担う例について説明した。本発明では、電気機器制御システム１０００全体としてこれらの機能を担うのであれば、これらの機能をどの構成要素が担っていてもよい。例えば、位置記憶部１０６、稼働履歴記憶部１０７、電力履歴記憶部１１０などの記憶部は、タブレット端末５００、モバイル機器８００、クラウドサーバ９００などが備えていてもよい。同様に、モード設定部１０１、生成部１０２、閾値設定部１０５、判別部１０８などの処理部は、タブレット端末５００、モバイル機器８００、クラウドサーバ９００などが備えていてもよい。
【０１０５】
実施形態１では、判別部１０８が消費電力の履歴に基づいて留守中であるか否かを判別し、実施形態２では、判別部１０８が外出予定情報に基づいて留守中であるか否かを判別する例について説明した。本発明において、判別部１０８が、消費電力の履歴と外出予定情報とに基づいて留守中であるか否かを判別してもよい。
【０１０６】
また、判別部１０８は、センサ３００の検出結果を示す検出結果情報に基づいて、留守中であるか否かを判別してもよい。なお、検出結果情報は、例えば、水道水の流量を示す情報、人の存在の有無を示す情報、センサ３００の付近の明るさを示す情報などを含む。
【０１０７】
実施形態１では、消費電力システムの消費電力の履歴に基づいて、留守中であるか否かが判別される例について説明した。本発明において、例えば、各電気機器により消費されている個別の電力の値に基づいて、留守中であるか否かが判別されてもよい。例えば、在宅中には電力を消費する可能性が極めて高い電気機器により電力が消費されていない場合、留守中であると判別されてもよい。また、例えば、留守中には電力を消費する可能性が極めて低い電気機器により電力が消費されている場合、留守中でないと判別されてもよい。
【０１０８】
実施形態１では、防犯モードが設定されている間、防犯モードが設定された直後に生成された制御パターンに基づいて、制御が実行される例について説明した。本発明において、例えば、防犯モードが設定されている間、制御パターンを補正し、補正された制御パターンに基づく制御が実行されてもよい。かかる手法によれば、例えば、防犯モードが設定された直後に生成された制御パターンに基づく制御により、想定以上の電力が消費された場合に、さらに省エネを重視した制御パターンに基づく制御に自動的に切り替えられる。
【０１０９】
実施形態１では、制御の組み合わせに基づく防犯効果が考慮されず、制御毎に防犯効果が付与される例について説明した。つまり、実施形態１では、制御パターンに含まれる各制御の防犯効果の予測値の和が、制御パターンの防犯効果の予測値として付与される例について説明した。本発明において、制御毎には防犯効果の予測値が付与されず、制御の組み合わせ、つまり、制御パターンに防犯効果の予測値が付与されてもよい。かかる手法においても、除外又は低出力化される制御を、除外又は低出力化されたときに、防犯効果の予測値の減少量に対する、消費電力の予測値の減少量が最高となる制御とすることができる。これにより、実施形態１と同様に、消費電力の割に防犯効果が高い制御を含む制御パターンを容易に生成することができる。
【０１１０】
実施形態１では、照明装置２０１、テレビ２０２、空調機器２０３が、防犯のために制御される例について説明した。本発明において、防犯のために制御される電気機器は、この例に限定されないことは勿論である。なお、防犯のために制御される電気機器としては、音声の出力、可動部の駆動、光の照射など、在宅を装うのに適した動作を実行可能な電気機器が好適である。このような電気機器として、例えば、換気扇、電動カーテン、電動ブラインド、オーディオ機器、エコキュート、ドアフォンなどがある。
【０１１１】
実施形態１では、位置情報や稼動履歴に基づいて、制御パターンが選択される例について説明した。本発明において、予め定められた複数の制御パターンの中から、１つの制御パターンが選択されてもよい。なお、選択される制御パターンは、消費電力の予測値が閾値以下である制御パターンのうち、防犯効果の予測値が最も高い制御パターンであることが好適である。なお、１つの制御パターンが選択された後、消費電力の予測値が閾値以下になるまで、選択された制御パターンに含まれる制御が除外又は低出力化されてもよい。
【０１１２】
実施形態１では、まず、消費電力の予測値が考慮されずに制御パターンが生成され、その後、消費電力の予測値が減るように、生成した制御パターンが補正される手法について説明した。本発明において、補正が前提とされずに、消費電力の予測値が考慮されて制御パターンが生成されてもよい。この場合、省エネモードによる制御、低出力の制御など、消費電力の低い制御であって、防犯効果が高いと予測される制御が優先的に選択され、制御パターンが生成されることが好適である。
【０１１３】
また、消費電力の予測値が考慮されずに制御パターンが生成され、その後、消費電力の予測値が閾値を超えない範囲で、防犯効果が向上するように、生成した制御パターンが補正されてもよい。この場合、消費電力の予測値が低く防犯効果の予測値が高い制御が優先的に制御パターンに追加されることが好適である。
【０１１４】
実施形態１では、防犯モードが設定されてから１時間経過すると防犯モードが解除される例について説明した。本発明において、防犯モードが解除される条件は、この例に限定されない。例えば、防犯モードが設定されてから１時間経過しても、防犯モードが解除されずに、制御パターンに基づく制御が継続されてもよい。また、例えば、タブレット端末５００やモバイル機器８００によりユーザの解除指示が受け付けられた場合や、電子錠が解錠された場合に、防犯モードが解除されてもよい。また、防犯モードへの移行条件が成立した場合に、自動的に防犯モードに設定されなくてもよい。例えば、防犯モードへの移行条件が成立した場合、ユーザによる許可を求め、ユーザによる許可が得られた場合に、防犯モードが設定されてもよい。なお、ユーザによる許可は、例えば、タブレット端末５００やモバイル機器８００を介して受け付けられる。
【０１１５】
実施形態１では、防犯のレベルを示す情報として、１ヶ月当たりの許容消費電力量を示す情報が受け付けられる例について説明した。本発明において、防犯のレベルを示す情報は、この例に限定されない。例えば、防犯のレベルを示す情報は、一日当たりの許容消費電力量、１週間当たりの許容消費電力量、１年当たりの許容消費電力量を示す情報であってもよい。また、例えば、防犯のレベルを示す情報は、在宅時の平均消費電力に対する、防犯モード設定時の許容消費電力の割合を示す情報であってもよい。例えば、防犯のレベルを示す情報が２０％を示す情報である場合、許容消費電力は、在宅時の平均消費電力の２０％の電力となる。
【０１１６】
実施形態１では、防犯モードに設定されている間に実行される制御が不変である例について説明した。本発明において、防犯モードに設定されている間に実行される制御が可変であってもよい。この場合、例えば、時間の経過とともに実行される制御が変更されるように、制御パターンが生成される。この場合、制御パターンは、少なくとも１つの電気機器のそれぞれの制御スケジュールを含む。
【０１１７】
本発明に係る電気機器制御装置１００の動作を規定する動作プログラムを既存のパーソナルコンピュータや情報端末装置に適用することで、当該パーソナルコンピュータ等を本発明に係る電気機器制御装置１００として機能させることも可能である。
【０１１８】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１１９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【０１２０】
本発明は、電気機器を制御する電気機器制御システムに適用可能である。
【符号の説明】
【０１２１】
１１  ＣＰＵ、１２  ＲＯＭ、１３  ＲＡＭ、１４  フラッシュメモリ、１５  ＲＴＣ、１６、５０３、８０３  タッチスクリーン、１７、５０２  宅内インターフェース、１８、８０２、９０２  宅外インターフェース、１００、１５０  電気機器制御装置、１０１  モード設定部、１０２  生成部、１０３  制御部、１０４  レベル取得部、１０５  閾値設定部、１０６  位置記憶部、１０７  稼働履歴記憶部、１０８  判別部、１０９  消費電力取得部、１１０  電力履歴記憶部、１１１  予定記憶部、２０１  照明装置、２０２  テレビ、２０３  空調機器、３００  センサ、４００  電力計測装置、５００  タブレット端末、５０１、８０１、９０１  制御部、６００  商用電源、７１０  宅内ネットワーク、７２０  宅外ネットワーク、８００  モバイル機器、９００  クラウドサーバ、９０３  記憶部、１０００  電気機器制御システム
【図１】
2016017015.tif 000003
【図２】
2016017015.tif 000004
【図３】
2016017015.tif 000005
【図４】
2016017015.tif 000006
【図５】
2016017015.tif 000007
【図６】
2016017015.tif 000008
【図７】
2016017015.tif 000009
【図８】
2016017015.tif 000010
【図９】
2016017015.tif 000011
【図１０】
2016017015.tif 000012
【図１１】
2016017015.tif 000013
【図１２】
2016017015.tif 000014
【図１３】
2016017015.tif 000015
【図１４】
2016017015.tif 000016
【手続補正書】
【提出日】平成28年5月26日(2016.5.26)
【手続補正１】
【補正対象書類名】明細書
【補正対象項目名】０００７
【補正方法】変更
【補正の内容】
【０００７】
上記目的を達成するために、本発明に係る電気機器制御装置は、
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、
防犯のレベルを示す情報を取得するレベル取得部と、
前記レベル取得部により取得された防犯のレベルを示す情報に基づいて、前記閾値を設定する閾値設定部と、を備える。
【手続補正２】
【補正対象書類名】明細書
【補正対象項目名】０００８
【補正方法】変更
【補正の内容】
【０００８】
本発明では、防犯モードが設定されている間、少なくとも１つの電気機器の総消費電力の予測値が予め定められた閾値以下となる制御パターンに基づいて、少なくとも１つの電気機器が制御される。従って、本発明によれば、なるべく少ない消費電力で防犯することができる。
【手続補正３】
【補正対象書類名】特許請求の範囲
【補正対象項目名】全文
【補正方法】変更
【補正の内容】
【特許請求の範囲】
【請求項１】
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、
防犯のレベルを示す情報を取得するレベル取得部と、
前記レベル取得部により取得された防犯のレベルを示す情報に基づいて、前記閾値を設定する閾値設定部と、を備える、
電気機器制御装置。
【請求項２】
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、を備え、
前記生成部は、前記総消費電力の予測値が前記閾値を超える制御パターンに含まれる制御を除外又は低出力化する処理を、前記総消費電力の予測値が前記閾値以下となるまで繰り返すことにより、前記総消費電力の予測値が前記閾値以下となる制御パターンを生成し、
前記除外又は低出力化される制御は、除外又は低出力化されたときに、防犯効果の予測値の減少量に対する、前記総消費電力の予測値の減少量の割合が最高となる制御である、
電気機器制御装置。
【請求項３】
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、
前記少なくとも１つの電気機器のそれぞれが配置される位置を示す情報を記憶する位置記憶部と、を備え、
前記生成部は、前記位置記憶部に記憶された位置を示す情報に基づいて、前記総消費電力の予測値が前記閾値以下となる制御パターンを生成する、
電気機器制御装置。
【請求項４】
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、
前記総消費電力を示す情報を取得する消費電力取得部と、
前記消費電力取得部により取得された情報により示される総消費電力の履歴を記憶する電力履歴記憶部と、
前記電力履歴記憶部に記憶された総消費電力の履歴に基づいて、留守中であるか否かを判別する判別部と、を備え、
前記判別部は、前記総消費電力の時間変動の周波数成分に基づいて、留守中であるか否かを判別し、
前記モード設定部は、前記判別部により留守中であると判別されたことに応答して、防犯モードを設定する、
電気機器制御装置。
【請求項５】
前記少なくとも１つの電気機器のそれぞれの稼働履歴を記憶する稼働履歴記憶部をさらに備え、
前記生成部は、前記稼働履歴記憶部に記憶された稼働履歴に基づいて、前記総消費電力の予測値が前記閾値以下となる制御パターンを生成する、
請求項１から４までのいずれか１項に記載の電気機器制御装置。
【請求項６】
ユーザの外出予定を示す情報を記憶する予定記憶部と、
前記予定記憶部に記憶された外出予定を示す情報に基づいて、留守中であるか否かを判別する第２判別部と、をさらに備え、
前記モード設定部は、前記第２判別部により留守中であると判別されたことに応答して、防犯モードを設定する、
請求項１から５までのいずれか１項に記載の電気機器制御装置。
【請求項７】
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、
防犯のレベルを示す情報を取得するレベル取得部と、
前記レベル取得部により取得された防犯のレベルを示す情報に基づいて、前記閾値を設定する閾値設定部と、を備える、
電気機器制御システム。
【請求項８】
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、を備え、
前記生成部は、前記総消費電力の予測値が前記閾値を超える制御パターンに含まれる制御を除外又は低出力化する処理を、前記総消費電力の予測値が前記閾値以下となるまで繰り返すことにより、前記総消費電力の予測値が前記閾値以下となる制御パターンを生成し、
前記除外又は低出力化される制御は、除外又は低出力化されたときに、防犯効果の予測値の減少量に対する、前記総消費電力の予測値の減少量の割合が最高となる制御である、
電気機器制御システム。
【請求項９】
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、
前記少なくとも１つの電気機器のそれぞれが配置される位置を示す情報を記憶する位置記憶部と、を備え、
前記生成部は、前記位置記憶部に記憶された位置を示す情報に基づいて、前記総消費電力の予測値が前記閾値以下となる制御パターンを生成する、
電気機器制御システム。
【請求項１０】
防犯モードを設定するモード設定部と、
少なくとも１つの電気機器のそれぞれに対する制御内容を含み、前記少なくとも１つの電気機器の総消費電力の予測値が予め定められた閾値以下となる制御パターンを生成する生成部と、
前記モード設定部により防犯モードが設定されている間、前記生成部により生成された制御パターンに基づいて、前記少なくとも１つの電気機器のそれぞれを制御する制御部と、
前記総消費電力を示す情報を取得する消費電力取得部と、
前記消費電力取得部により取得された情報により示される総消費電力の履歴を記憶する電力履歴記憶部と、
前記電力履歴記憶部に記憶された総消費電力の履歴に基づいて、留守中であるか否かを判別する判別部と、を備え、
前記判別部は、前記総消費電力の時間変動の周波数成分に基づいて、留守中であるか否かを判別し、
前記モード設定部は、前記判別部により留守中であると判別されたことに応答して、防犯モードを設定する、
電気機器制御システム。
【請求項１１】
少なくとも１つの電気機器のそれぞれに対する制御内容を含み、前記少なくとも１つの電気機器の総消費電力の予測値が予め定められた閾値以下となる制御パターンを生成する生成ステップと、
防犯モードが設定されている間、前記生成ステップで生成された制御パターンに基づいて、前記少なくとも１つの電気機器のそれぞれを制御する制御ステップと、
防犯のレベルを示す情報を取得するレベル取得ステップと、
前記レベル取得ステップで取得された防犯のレベルを示す情報に基づいて、前記閾値を設定する閾値設定ステップと、を備える、
電気機器制御方法。
【請求項１２】
少なくとも１つの電気機器のそれぞれに対する制御内容を含み、前記少なくとも１つの電気機器の総消費電力の予測値が予め定められた閾値以下となる制御パターンを生成する生成ステップと、
防犯モードが設定されている間、前記生成ステップで生成された制御パターンに基づいて、前記少なくとも１つの電気機器のそれぞれを制御する制御ステップと、を備え、
前記生成ステップでは、前記総消費電力の予測値が前記閾値を超える制御パターンに含まれる制御を除外又は低出力化する処理を、前記総消費電力の予測値が前記閾値以下となるまで繰り返すことにより、前記総消費電力の予測値が前記閾値以下となる制御パターンを生成し、
前記除外又は低出力化される制御は、除外又は低出力化されたときに、防犯効果の予測値の減少量に対する、前記総消費電力の予測値の減少量の割合が最高となる制御である、
電気機器制御方法。
【請求項１３】
少なくとも１つの電気機器のそれぞれに対する制御内容を含み、前記少なくとも１つの電気機器の総消費電力の予測値が予め定められた閾値以下となる制御パターンを生成する生成ステップと、
防犯モードが設定されている間、前記生成ステップで生成された制御パターンに基づいて、前記少なくとも１つの電気機器のそれぞれを制御する制御ステップと、を備え、
前記生成ステップでは、前記少なくとも１つの電気機器のそれぞれが配置される位置を示す情報に基づいて、前記総消費電力の予測値が前記閾値以下となる制御パターンを生成する、
電気機器制御方法。
【請求項１４】
少なくとも１つの電気機器のそれぞれに対する制御内容を含み、前記少なくとも１つの電気機器の総消費電力の予測値が予め定められた閾値以下となる制御パターンを生成する生成ステップと、
防犯モードが設定されている間、前記生成ステップで生成された制御パターンに基づいて、前記少なくとも１つの電気機器のそれぞれを制御する制御ステップと、
前記総消費電力を示す情報を取得する消費電力取得ステップと、
前記消費電力取得ステップで取得された情報により示される総消費電力の履歴を記憶する電力履歴記憶ステップと、
前記電力履歴記憶ステップで記憶された総消費電力の履歴に基づいて、留守中であるか否かを判別する判別ステップと、
前記判別ステップで留守中であると判別されたことに応答して、防犯モードを設定するモード設定ステップと、を備え、
前記判別ステップでは、前記総消費電力の時間変動の周波数成分に基づいて、留守中であるか否かを判別する、
電気機器制御方法。
【請求項１５】
コンピュータを、
防犯モードを設定するモード設定部、
少なくとも１つの電気機器のそれぞれに対する制御内容を含み、前記少なくとも１つの電気機器の総消費電力の予測値が予め定められた閾値以下となる制御パターンを生成する生成部、
前記モード設定部により防犯モードが設定されている間、前記生成部により生成された制御パターンに基づいて、前記少なくとも１つの電気機器のそれぞれを制御する制御部、
防犯のレベルを示す情報を取得するレベル取得部、
前記レベル取得部により取得された防犯のレベルを示す情報に基づいて、前記閾値を設定する閾値設定部、として機能させる、
プログラム。
【請求項１６】
コンピュータを、
防犯モードを設定するモード設定部、
少なくとも１つの電気機器のそれぞれに対する制御内容を含み、前記少なくとも１つの電気機器の総消費電力の予測値が予め定められた閾値以下となる制御パターンを生成する生成部、
前記モード設定部により防犯モードが設定されている間、前記生成部により生成された制御パターンに基づいて、前記少なくとも１つの電気機器のそれぞれを制御する制御部、として機能させるプログラムであって、
前記生成部は、前記総消費電力の予測値が前記閾値を超える制御パターンに含まれる制御を除外又は低出力化する処理を、前記総消費電力の予測値が前記閾値以下となるまで繰り返すことにより、前記総消費電力の予測値が前記閾値以下となる制御パターンを生成し、
前記除外又は低出力化される制御は、除外又は低出力化されたときに、防犯効果の予測値の減少量に対する、前記総消費電力の予測値の減少量の割合が最高となる制御である、
プログラム。
【請求項１７】
コンピュータを、
防犯モードを設定するモード設定部、
少なくとも１つの電気機器のそれぞれに対する制御内容を含み、前記少なくとも１つの電気機器の総消費電力の予測値が予め定められた閾値以下となる制御パターンを生成する生成部、
前記モード設定部により防犯モードが設定されている間、前記生成部により生成された制御パターンに基づいて、前記少なくとも１つの電気機器のそれぞれを制御する制御部、
前記少なくとも１つの電気機器のそれぞれが配置される位置を示す情報を記憶する位置記憶部、として機能させるプログラムであって、
前記生成部は、前記位置記憶部に記憶された位置を示す情報に基づいて、前記総消費電力の予測値が前記閾値以下となる制御パターンを生成する、
プログラム。
【請求項１８】
コンピュータを、
防犯モードを設定するモード設定部、
少なくとも１つの電気機器のそれぞれに対する制御内容を含み、前記少なくとも１つの電気機器の総消費電力の予測値が予め定められた閾値以下となる制御パターンを生成する生成部、
前記モード設定部により防犯モードが設定されている間、前記生成部により生成された制御パターンに基づいて、前記少なくとも１つの電気機器のそれぞれを制御する制御部、
前記総消費電力を示す情報を取得する消費電力取得部、
前記消費電力取得部により取得された情報により示される総消費電力の履歴を記憶する電力履歴記憶部、
前記電力履歴記憶部に記憶された総消費電力の履歴に基づいて、留守中であるか否かを判別する判別部、として機能させるプログラムであって、
前記判別部は、前記総消費電力の時間変動の周波数成分に基づいて、留守中であるか否かを判別し、
前記モード設定部は、前記判別部により留守中であると判別されたことに応答して、防犯モードを設定する、
プログラム。
【国際調査報告】
2016017015.tif 000017
2016017015.tif 000018
2016017015.tif 000019
2016017015.tif 000020